(57)【特許請求の範囲】
【請求項１】
し尿処理場、下水処理場で発生する余剰汚泥やし渣を処理する汚泥等の処理方法において、余剰汚泥を脱水した脱水汚泥の全部または一部を水分調整して醗酵させてコンポスト化し、し渣を脱水して炭化し、このコンポスト品およびし渣炭化物に、さらに水または水蒸気を加えて加熱処理することを特徴とする汚泥等の処理方法。
【請求項２】
脱水汚泥の水分調整として、乾燥汚泥の一部を用いることを特徴とする請求項１記載の汚泥等の処理方法。
【請求項３】
し尿処理場、下水処理場で発生する余剰汚泥やし渣を処理する汚泥等の処理方法において、余剰汚泥を脱水した脱水汚泥を乾燥し、その一部と生ゴミを醗酵させてコンポスト化し、残部と脱水したし渣を炭化し、このコンポスト品および炭化物にさらに水または水蒸気を加えて加熱処理することを特徴とする汚泥等の処理方法。
【発明の詳細な説明】
【０００１】
【発明の属する技術分野】
本発明は、し尿処理場・下水処理場で発生する余剰汚泥やし渣の処理方法に関し、とりわけ焼却工程を無くし、新たな廃棄物を発生させない処理方法に関する。
【０００２】
【従来の技術】
し尿処理場・下水処理場では、し尿あるいは下水からスクリーン等で除去されるし渣（浮遊夾雑物等）が発生し、また水処理の過程から余剰汚泥も発生する。従来、し渣については、埋立てあるいは焼却処分が、汚泥については、埋立て、乾燥・焼却処分あるいはコンポストにするなどの処理がなされている。
しかしながら、これらの処理方法には、埋立てについてはその場所の確保が困難なこと、焼却については、焼却灰という新たな廃棄物が発生し、さらにその処分が必要になること、ダイオキシン類を発生する恐れがあること、コンポスト品には臭気が残存するなどの問題がある。
【０００３】
【発明が解決しようとする課題】
したがって本発明の解決しようとする課題は、し渣、余剰汚泥の処理過程で、焼却工程を無くして新たな廃棄物を発生させず、コンポスト品の臭気を無くし、し渣・汚泥のすべてを有効利用できる汚泥等の処理方法を提供することである。
【０００４】
【課題を解決する手段】
本発明者は、従来埋立てあるいは焼却処分されて、何ら有効に利用されていないし渣を炭化してその利用を図ることによって、コンポスト品の悪臭を除去するとともに、し尿処理場、下水処理場から焼却工程を無くし、新たな廃棄物を発生させない方法を見出して本発明を完成したものである。
【０００５】
すなわち、請求項１記載の課題を解決する手段は、
し尿処理場、下水処理場で発生する余剰汚泥やし渣を処理する汚泥等の処理方法において、余剰汚泥を脱水した脱水汚泥の全部または一部を水分調整して醗酵させてコンポスト化し、し渣を脱水して炭化し、このコンポスト品およびし渣炭化物に、さらに水または水蒸気を加えて加熱処理することを特徴とする。
これによって、し渣・汚泥の処理過程から焼却工程を無くすことができるので、焼却灰という新たな廃棄物を発生させることがない。炭化したし渣は、汚泥のコンポスト品と混合することによって、コンポスト品の・脱臭剤として有効利用することができる。
【０００６】
請求項２記載の課題を解決する手段は、
請求項１記載の要件に加えて、脱水汚泥の水分調整として、乾燥汚泥の一部を用いることを特徴とする。
これによって、オガ粉、籾殼などの新たな水分調整材を加える必要がないので、装置を小型化ができる。
【０００７】
請求項３記載の課題を解決する手段は、
し尿処理場、下水処理場で発生する余剰汚泥やし渣を処理する汚泥等の処理方法において、余剰汚泥を脱水した脱水汚泥を乾燥し、その一部と生ゴミを醗酵させてコンポスト化し、残部と脱水したし渣を炭化し、このコンポスト品および炭化物にさらに水または水蒸気を加えて加熱処理することを特徴とする。
これによって、し渣・汚泥の処理過程から焼却工程を無くすことができるので、焼却灰という新たな廃棄物を発生させることがない。炭化したし渣は、汚泥のコンポスト品と混合することによって、コンポスト品の脱臭剤として有効利用することができる。また、生ゴミも同時に処理できる。
【０００８】
【発明の実施の形態】
本発明の実施の形態を、図面に基づいて説明する。図１は、本発明の実施の形態を示すフローシートであり、図２は他の実施の形態を示すフローシートである。
符号１は脱水汚泥を乾燥する乾燥機である。乾燥機は、特にその形状は問わないが、熱効率がよく、粒状乾燥汚泥が得られる攪拌翼付き回転乾燥機が望ましい。符号２は、し渣を炭化する炭化炉である。符号３は、脱水汚泥を醗酵させる醗酵槽である。符号４は、醗酵処理されたコンポスト品と炭化されたし渣炭化物に、水または水蒸気を加えた後さらに加熱するための加熱機構を有する熱処理槽である。
【０００９】
図１に基づいて、本発明の実施の形態を説明する。
脱水汚泥は、水分調整材を混合する方法等で醗酵に適した４０〜６０％Ｗ．Ｂ．に水分調整した後、醗酵槽３に投入されて醗酵処理される。水分調整材としては、オガ粉等が一般的に用いられるが、装置が大型化してコストが嵩むため、脱水汚泥の一部を乾燥して用いることが望ましい。
醗酵槽３で行われる醗酵は、好気性醗酵であってそのレベルは、易分解性有機物が主に分解される１次醗酵の段階まで行われる。１次醗酵処理されたコンポスト品には、悪臭が残留している。たとえば、し尿汚泥を原料として１次醗酵させたものは、アンモニア臭などが強く残留していて、その利用を妨げている。
【００１０】
し渣は６０％Ｗ．Ｂ．程度に脱水処理した後、炭化炉２で炭化する。得られたし渣炭化物は、熱処理槽４に投入して脱水汚泥を醗酵処理したコンポスト品の悪臭を除去する脱臭剤として利用する。従来焼却されて焼却灰という新たな廃棄物を生じていたし渣が、炭化することによってコンポスト品の脱臭剤としての利用が可能になるとともに、し尿処理、下水処理過程から焼却工程をなくすことができる。この際、脱水汚泥の一部を乾燥し、し渣とともに炭化して脱臭剤として利用してもよい。
【００１０】
次に脱水汚泥を醗酵処理したコンポスト品を熱処理槽４に投入する。熱処理槽４は温水または蒸気で加熱できるジャッケト付きのほぼ密閉できる構造のものを用いたが、電気ヒータ等で加熱するものであっても良い。この熱処理槽４に醗酵処理したコンポスト品、し渣炭化物、水または水蒸気を投入し、ジャケットから加熱して熱処理する。
加える水または水蒸気の量は、醗酵処理されたコンポストの水分が４０〜６０％Ｗ．Ｂ．程度になるようにするのが望ましく、加熱温度は８０〜１２０℃程度が望ましい。加水量を４０〜６０％Ｗ．Ｂ．程度とするのは、熱伝導性を高めて、コンポスト品中の微生物を効率よく死滅させるためであり、加熱温度を８０〜１２０℃程度とするのは、コンポスト品中の微生物を死滅させるとともに、水分中に溶解している悪臭ガスを速やかに気化させるためである。
醗酵処理したコンポスト品に添加されるし渣炭化物の添加量は、重量で醗酵したコンポスト品の固形分の１／５以上であることが望ましい。添加量が１／５以下であると、悪臭を吸着するのに不足する虞がある。
また、加熱処理後一定時間熱処理槽４を通気すれば、炭化物に吸着されない臭気ガスを系外に排出できるので、より確実に悪臭を除去できるとともに、製品としてのコンポスト品の水分調整も行うことができる。
【００１１】
次に図２に基づいて、他の実施の形態を説明する。
ここでは、生ゴミを乾燥汚泥の水分調整材として使用することによって、生ゴミも同時に処理しようとするものであって、使用される乾燥機１、炭化炉２、醗酵槽３、熱処理槽４は上記のものと同一である。
脱水汚泥を乾燥機１に投入して水分約３０％Ｗ．Ｂ．程度まで乾燥し、この一部に生ゴミを混合して水分約６０％Ｗ．Ｂ．程度に調整した後、醗酵槽３に投入して醗酵処理する。
６０％Ｗ．Ｂ．程度に脱水処理したし渣は乾燥汚泥の残部とともに、炭化炉２で炭化する。得られた汚泥とし渣の炭化物は、熱処理槽４に投入して脱水汚泥と生ゴミを醗酵処理したコンポスト品の悪臭を除去する脱臭剤として利用する。
熱処理槽４での加熱処理方法すなわち加水量、加熱温度、炭化物の添加量等、は、上記のものと同じである。
【００１２】
本発明による悪臭除去のメカニズムは、おおよそ次のように考えられる。
１次醗酵を終えたコンポスト品中には、ある種の微生物が活動していて悪臭ガスを発生させている、また、コンポスト品中の水分に溶解している悪臭ガスが気化して悪臭を発生させる。したがって、単に炭化物を加えるだけでは、悪臭除去に限界がある。
そこで、本発明では、１次醗酵したコンポスト品にし渣炭化物および水または水蒸気を加えて加熱処理している。水または水蒸気を加えて有機性廃棄物の含水率を高めた上で加熱するので、熱伝導が良いため、効率よくコンポスト品中の微生物を死滅させて悪臭ガスの発生を停止させるとともに、水分中に溶解している悪臭ガスを速やかに気化させることができる。これを添加した炭化物に吸着させて除去し、さらに通気すれば、悪臭ガスを系外に除去できるので、醗酵処理されたコンポスト品から悪臭を確実に除去することができるとともに、製品としてのコンポスト品の水分調整も行うことができる。
【００１３】
【発明の効果】
本発明は、し尿処理場、下水処理場で発生する余剰汚泥やし渣を処理する汚泥等の処理方法において、余剰汚泥を脱水した脱水汚泥の全部または一部を水分調整して醗酵させてコンポスト化し、し渣を脱水して炭化し、このコンポスト品およびし渣炭化物に、さらに水または水蒸気を加えて加熱処理することを特徴とする。
従来焼却することによって焼却灰という新たな廃棄物を発生させていたし渣を、炭化することによって、脱臭剤、土壌改良材等の有価物とすることができるとともに、し尿処理場、下水処理場から焼却工程を廃止でき、さらにし尿汚泥、下水汚泥を原料とするコンポスト品を無臭な物にすることができる。
【００１４】
【図面の簡単な説明】
【図１】本発明の実施の形態を示すフローシートである。
【図２】本発明の他の実施の形態を示すフローシートである。
【符号の説明】
符号１    乾燥機
符号２    炭化炉
符号３    醗酵槽
符号４    熱処理槽
【図１】
0003980783.tif 000002
【図２】
0003980783.tif 000003